(57)【要約】【課題】顔料の分散安定性に優れる水性インクを提供すること。【解決手段】水と、顔料と、前記顔料を前記水に分散させる分散剤と、記録媒体上で前記顔料を凝集させる凝集剤と、ＨＬＢ値が１５以上１９以下であるノニオン性界面活性剤と、を含有する水性インク。【選択図】図１
2017171850.tif 000002
【特許請求の範囲】
【請求項１】
水と、
顔料と、
前記顔料を前記水に分散させる分散剤と、
記録媒体上で前記顔料を凝集させる凝集剤と、
ＨＬＢ値が１５以上１９以下であるノニオン性界面活性剤と、
を含有する水性インク。
【請求項２】
前記分散剤が、アニオン性重合体及びアニオン性界面活性剤から選ばれる少なくとも１種である、請求項１に記載の水性インク。
【請求項３】
前記凝集剤が、多価金属塩から選ばれる少なくとも１種である、請求項１又は請求項２に記載の水性インク。
【請求項４】
さらに、高分子粒子を含有する、請求項１〜請求項３のいずれか１項に記載の水性インク。
【請求項５】
請求項１〜請求項４のいずれか１項に記載の水性インクを収容したインクカートリッジ。
【請求項６】
請求項１〜請求項４のいずれか１項に記載の水性インクを収容し、前記水性インクを記録媒体上に吐出する吐出ヘッドを備える記録装置。
【請求項７】
さらに、前記記録媒体上に吐出された前記水性インクを乾燥する乾燥装置を備える、請求項６に記載の記録装置。
【請求項８】
請求項１〜請求項４のいずれか１項に記載の水性インクを吐出ヘッドから非浸透性の記録媒体上に吐出する吐出工程を有する記録方法。
【請求項９】
さらに、前記非浸透性の記録媒体上に吐出された前記水性インクを乾燥する乾燥工程を有する、請求項８に記載の記録方法。
【発明の詳細な説明】
【技術分野】
【０００１】
本発明は、水性インク、インクカートリッジ、記録装置、及び記録方法に関する。
【背景技術】
【０００２】
特許文献１には、塩、水性媒体及びイオン性基の作用によって水性媒体に分散している顔料を含むブラックインクと、ブラックインク中の顔料の分散安定性を不安定化させる染料及び添加剤の少なくとも一方を含むカラーインクとのセット、が開示されている。
【０００３】
特許文献２には、熱可塑性樹脂からなる（Ａ）成分、（メタ）アクリル酸を主成分とするアニオン性単量体と（メタ）アクリル酸アルキルアミノアルキルを主成分とするカチオン性単量体とを単量体として含有する単量体混合物を重合して得られる高分子乳化剤からなる（Ｂ）成分、及び水を含有し、（Ａ）成分１００重量部に対し（Ｂ）成分を２〜２５重量部含有し且つ水性分散液中の（Ａ）成分の含有割合が３０〜９０質量％である熱可塑性樹脂水性分散液、が開示されている。
【０００４】
特許文献３には、金属塩（Ｓ）と樹脂（Ｂ）とを水性溶媒に金属塩（Ｓ）濃度が０．００５〜２．０モル／リットル且つ樹脂（Ｂ）濃度が０．５〜２０質量％となるように溶解乃至分散させた受理溶液（Ａ）と、顔料（Ｐ）、アニオン性樹脂エマルション（Ｅ）、界面活性剤及び水系溶媒を含み、顔料（Ｐ）表面及び／又はアニオン性樹脂エマルション（Ｅ）表面にリン含有基が結合しているインクジェットインクと、が開示されている。
【先行技術文献】
【特許文献】
【０００５】
【特許文献１】特開２００１−１５２０５９号公報
【特許文献２】特開２００８−２４７５５号公報
【特許文献３】国際公開第２０１２／１３２４０３号
【発明の概要】
【発明が解決しようとする課題】
【０００６】
顔料を含む水性インクの画像の滲みを抑制するためには、記録媒体上で顔料を凝集させる凝集剤（顔料凝集剤）を水性インクに含有させることが望ましいが、顔料凝集剤を含有する水性インクは、顔料の分散安定性が低い。
【０００７】
本発明は、水、顔料、顔料を水に分散させる分散剤、及び記録媒体上で顔料を凝集させる凝集剤のみを含有する水性インクに比べ、顔料の分散安定性に優れる水性インクを提供することを課題とする。
【課題を解決するための手段】
【０００８】
前記課題を解決するための具体的手段には、下記の態様が含まれる。
【０００９】
請求項１に係る発明は、
水と、
顔料と、
前記顔料を前記水に分散させる分散剤と、
記録媒体上で前記顔料を凝集させる凝集剤と、
ＨＬＢ値が１５以上１９以下であるノニオン性界面活性剤と、
を含有する水性インク。
【００１０】
請求項２に係る発明は、
前記分散剤が、アニオン性重合体及びアニオン性界面活性剤から選ばれる少なくとも１種である、請求項１に記載の水性インク。
【００１１】
請求項３に係る発明は、
前記凝集剤が、多価金属塩から選ばれる少なくとも１種である、請求項１又は請求項２に記載の水性インク。
【００１２】
請求項４に係る発明は、
さらに、高分子粒子を含有する、請求項１〜請求項３のいずれか１項に記載の水性インク。
【００１３】
請求項５に係る発明は、
請求項１〜請求項４のいずれか１項に記載の水性インクを収容したインクカートリッジ。
【００１４】
請求項６に係る発明は、
請求項１〜請求項４のいずれか１項に記載の水性インクを収容し、前記水性インクを記録媒体上に吐出する吐出ヘッドを備える記録装置。
【００１５】
請求項７に係る発明は、
さらに、前記記録媒体上に吐出された前記水性インクを乾燥する乾燥装置を備える、請求項６に記載の記録装置。
【００１６】
請求項８に係る発明は、
請求項１〜請求項４のいずれか１項に記載の水性インクを吐出ヘッドから非浸透性の記録媒体上に吐出する吐出工程を有する記録方法。
【００１７】
請求項９に係る発明は、
さらに、前記非浸透性の記録媒体上に吐出された前記水性インクを乾燥する乾燥工程を有する、請求項８に記載の記録方法。
【発明の効果】
【００１８】
請求項１、２又は３に係る発明によれば、水、顔料、顔料を水に分散させる分散剤、及び記録媒体上で顔料を凝集させる凝集剤のみを含有する水性インクに比べ、顔料の分散安定性に優れる水性インクが提供される。
請求項４に係る発明によれば、高分子粒子を含まない場合に比べ、画像の定着性に優れる水性インクが提供される。
請求項５に係る発明によれば、水、顔料、顔料を水に分散させる分散剤、及び記録媒体上で顔料を凝集させる凝集剤のみを含有する水性インクに比べ、顔料の分散安定性に優れる水性インクを収容したインクカートリッジが提供される。
【００１９】
請求項６又は７に係る発明によれば、水、顔料、顔料を水に分散させる分散剤、及び記録媒体上で顔料を凝集させる凝集剤のみを含有する水性インクに比べ、顔料の分散安定性に優れる水性インクを収容した記録装置が提供される。
請求項８又は９に係る発明によれば、水、顔料、顔料を水に分散させる分散剤、及び記録媒体上で顔料を凝集させる凝集剤のみを含有する水性インクに比べ、顔料の分散安定性に優れる水性インクを用いる記録方法が提供される。
【図面の簡単な説明】
【００２０】
【図１】本実施形態に係る記録装置の一例を示す概略構成図である。
【発明を実施するための形態】
【００２１】
以下に、発明の実施形態を説明する。これらの説明及び実施例は実施形態を例示するものであり、発明の範囲を制限するものではない。
【００２２】
＜水性インク＞
本実施形態に係る水性インクは、インクの溶媒としての水と、顔料と、顔料をインク溶媒である水に分散させる分散剤（「顔料分散剤」という。）と、記録媒体上で顔料を凝集させる凝集剤（「顔料凝集剤」という。）と、ＨＬＢ値が１５以上１９以下であるノニオン性界面活性剤と、を含有する。
【００２３】
記録媒体上に画像を記録する手段として、インクジェット方式の画像記録方法が知られており、インクジェット方式に用いられるインクとして、水を主体とする溶媒に顔料分散剤によって顔料を分散させた水性インクが知られている。この水性インクを用いてインクジェット方式により非浸透性の記録媒体（例えば樹脂フィルム）に画像記録を行うと、記録媒体が水性インクの溶媒をほとんど吸収しないためインク滴の乾燥に時間を要し、乾燥前にインク滴どうしが接触して画像の滲みが発生することがある。
従来、顔料凝集剤を含む組成物を、水性インクとは別個に用意し、顔料凝集剤を含む組成物を予め記録媒体に塗布又は打滴し、後から打滴する水性インクを記録媒体上で顔料凝集剤に接触させ顔料を凝集させることで、画像の滲みを抑制する技術は知られていた。顔料凝集剤を、顔料及び顔料分散剤と共に水性インクに含ませようとすると、水性インク内で顔料凝集剤が顔料の分散を不安定化してしまうので、顔料凝集剤を含みながら顔料の分散安定性に優れた水性インクを得ることは難しかった。
【００２４】
これに対して、本実施形態に係る水性インクは、ＨＬＢ値が１５以上１９以下であるノニオン性界面活性剤を含むことにより、水性インク内に、顔料、顔料分散剤、及び顔料凝集剤が安定して分散しつつ共存することが可能になっている。詳細な機序は必ずしも明らかではないが、ＨＬＢ値が１５以上１９以下であるノニオン性界面活性剤が、顔料分散剤と顔料凝集剤との相互作用を抑制し、顔料分散剤による顔料の分散を保つものと推測される。そのため、水性インクが安定して調製され、また、水性インクの保存安定性が高まる。ＨＬＢ値が１９超のノニオン性界面活性剤は、顔料分散剤と顔料凝集剤との相互作用を抑制する効果が弱いためか、顔料の凝集を充分に抑制できない。ＨＬＢ値が１５未満のノニオン性界面活性剤は、それ自体の水への分散性が低いためか、顔料の凝集を充分に抑制できない。
【００２５】
一方で、本実施形態に係る水性インクが記録媒体に打滴された際は、インク滴中の溶媒が蒸発して減るので、ＨＬＢ値が１５以上１９以下であるノニオン性界面活性剤による分散安定化よりも、顔料凝集剤による分散不安定化の方が勝って、顔料の凝集が進行すると推測される。そして、本実施形態に係る水性インクによれば、顔料凝集剤を含まない水性インクに比べ、インク滴外縁部（溶媒が蒸発しやすい部位である。）における顔料の分散不安定化及び凝集がより速やかに進むと考えられる。そのため、インク滴外縁部が顔料の広がりを抑制する「ピン止め効果（pinning effect）」が速やかに発現するので、画像の滲みが抑制されるものと考えられる。
【００２６】
本実施形態に係る水性インクは、インク滴の乾燥に時間を要する非浸透性記録媒体に対する記録用インクとして好適である。また、本実施形態に係る水性インクは、浸透性記録媒体に対する記録用インクとしても好適であり、記録媒体の汎用性に優れる。
本実施形態において、浸透性記録媒体とは、動的走査吸液計で測定した接触時間５００ｍｓ以内における水の最大吸液量が１５ｍｌ／ｍ２を超える記録媒体を意味し、非浸透性記録媒体とは、上記水の最大吸液量が１５ｍｌ／ｍ２以下である記録媒体を意味する。
【００２７】
本実施形態に係る水性インクは、インクジェット方式の画像記録に用いるインクとして好適である。また、本実施形態に係る水性インクは、水性ペン等の筆記具、オフセット印刷、スタンプなどの用途にも好適である。
【００２８】
以下、本実施形態に係る水性インクの成分について詳細に説明する。
【００２９】
［顔料］
顔料としては、公知のあらゆる有機顔料及び無機顔料が挙げられる。顔料は、水性インクの色相に応じて、黒色顔料、シアン色顔料、マゼンタ色顔料、イエロー色顔料などを選択し又は組み合せて使用する。
【００３０】
黒色顔料（ブラック顔料）としては、キャボット社のＲｅｇａｌシリーズ、Ｍｏｎａｒｃｈシリーズ、Ｂｌａｃｋ  Ｐｅａｒｌｓ  Ｌ、ＭＯＧＵＬ  Ｌ；ウイルバー・エリス社のＲａｖｅｎシリーズ；オリオンエンジニアドカーボンズ社のＳｐｅｃｉａｌ  Ｂｌａｃｋシリーズ、Ｃｏｌｏｒ  Ｂｌａｃｋシリーズ、Ｐｒｉｎｔｅｘシリーズ；三菱化学のＮｏ．２５、Ｎｏ．３３、Ｎｏ．４０、Ｎｏ．４７、Ｎｏ．５２、Ｎｏ．９００、Ｎｏ．２３００、ＭＣＦ８８、ＭＡ６００、ＭＡ７、ＭＡ８、ＭＡ１００；等が挙げられる。
シアン色顔料としては、Ｃ．Ｉ．Ｐｉｇｍｅｎｔ  Ｂｌｕｅ  １、２、３、１５、１５：１、１５：２、１５：３、１５：４、１６、２２、６０等が挙げられる。
マゼンタ色顔料としては、Ｃ．Ｉ．Ｐｉｇｍｅｎｔ  Ｒｅｄ  ５、７、１２、４８、４８：１、５７、１１２、１２２、１２３、１４６、１６８、１７７、１８４、２０２；Ｃ．Ｉ．Ｐｉｇｍｅｎｔ  Ｖｉｏｌｅｔ  １９；等が挙げられる。
イエロー色顔料としては、Ｃ．Ｉ．Ｐｉｇｍｅｎｔ  Ｙｅｌｌｏｗ  １、２、３、１２、１３、１４、１６、１７、７３、７４、７５、８３、９３、９５、９７、９８、１１４、１２８、１２９、１３８、１５１、１５４、１８０等が挙げられる。
【００３１】
顔料としては、赤色、緑色、茶色、白色等の特定色顔料；金色、銀色等の金属光沢顔料；無色又は淡色の体質顔料；プラスチックピグメント；シリカ又はアルミの表面に染料又は顔料を固着させた粒子；染料の不溶レーキ化物；なども挙げられる。
【００３２】
顔料の体積平均粒径Ｄ５０ｖは、例えば１０ｎｍ以上１０００ｎｍ以下である。水性インクに含まれる顔料の体積平均粒径Ｄ５０ｖの測定は、動的光散乱式粒度分析計（Ｍｉｃｒｏｔｒａｃ社ＵＰＡ−ＵＴ１５１）により行う。その測定は、１０００倍希釈した水性インクを測定セルに入れて行う。
【００３３】
顔料は、１種を単独で用いてもよく、２種以上を併用してもよい。顔料と共に染料を用いてもよい。
【００３４】
顔料の含有量は、水性インクの全質量に対して、１質量％以上２５質量％以下が望ましく、２質量％以上２０質量％以下がより望ましい。
【００３５】
［顔料分散剤］
顔料分散剤としては、公知のあらゆる高分子分散剤及び界面活性剤が挙げられる。顔料分散剤としては、アニオン性重合体及びアニオン性界面活性剤が望ましい。
【００３６】
アニオン性重合体としては、アニオン性の親水性構造部と疎水性構造部とを有する重合体が好適であり、例えば、縮合系重合体、付加重合体が挙げられる。縮合系重合体としては、公知のポリエステル系高分子分散剤が挙げられる。付加重合体としては、アニオン性の親水性基を有する単量体と疎水性基を有する単量体との共重合体；アニオン性の親水性基を有する単量体の単独重合体；が挙げられる。アニオン性の親水性基としては、カルボキシル基、スルホン酸基、リン酸基、水酸基等が挙げられる。
【００３７】
アニオン性の親水性基を有する単量体としては、例えば、（メタ）アクリル酸、クロトン酸、イタコン酸、イタコン酸モノエステル、マレイン酸、マレイン酸モノエステル、フマル酸、フマル酸モノエステル、ビニルスルホン酸、スチレンスルホン酸、スルホン化ビニルナフタレン、ビニルアルコール、（メタ）アクリロキシエチルホスフェート、ビス（メタ）アクリロキシエチルホスフェート、（メタ）アクリロオキシエチルフェニルアシドホスフェート、エチレングリコールジ（メタ）アクリレート、ジエチレングリコールジ（メタ）アクリレート等が挙げられる。
【００３８】
疎水性基を有する単量体としては、例えば、スチレン、α−メチルスチレン、ビニルトルエン等のスチレン誘導体、ビニルシクロヘキサン、ビニルナフタレン、ビニルナフタレン誘導体、（メタ）アクリル酸アルキルエステル、（メタ）アクリル酸フェニルエステル、（メタ）アクリル酸シクロアルキルエステル、クロトン酸アルキルエステル、イタコン酸ジアルキルエステル、マレイン酸ジアルキルエステル等が挙げられる。
【００３９】
アニオン性重合体として望ましい共重合体の例としては、スチレン−スチレンスルホン酸共重合体、スチレン−マレイン酸共重合体、スチレン−（メタ）アクリル酸共重合体、ビニルナフタレン−マレイン酸共重合体、ビニルナフタレン−（メタ）アクリル酸共重合体、（メタ）アクリル酸アルキルエステル−（メタ）アクリル酸共重合体、スチレン−（メタ）アクリル酸アルキルエステル−（メタ）アクリル酸共重合体、スチレン−（メタ）アクリル酸フェニルエステル−（メタ）アクリル酸共重合体、スチレン−（メタ）アクリル酸シクロヘキシルエステル−（メタ）アクリル酸共重合体；これらの共重合体に、ポリオキシエチレン基又は水酸基を有する単量体をも共重合させた共重合体；が挙げられる。
【００４０】
アニオン性重合体の重量平均分子量（Ｍｗ）は、２０００以上５００００以下が望ましい。アニオン性重合体の重量平均分子量（Ｍｗ）は、ゲルパーミエーションクロマトグラフィ（ＧＰＣ）により測定する。本測定は、測定装置としてＨＬＣ−８１２０ＧＰＣ、ＳＣ−８０２０（東ソー）を用い、カラムとしてＴＳＫｇｅｌ ＳｕｐｅｒＨＭ−Ｍ（６．０ｍｍＩＤ×１５ｃｍ）（東ソー）を２本用い、溶離液としてテトラヒドロフランを用いる。測定条件は、試料濃度０．５質量％、流速０．６ｍＬ／ｍｉｎ、サンプル注入量１０μＬ、測定温度４０℃とし、ＲＩ検出器で検出を行う。検量線は、東ソー「ｐｏｌｙｓｔｙｌｅｎｅ標準試料ＴＳＫ ｓｔａｎｄａｒｄ」：「Ａ−５００」、「Ｆ−１」、「Ｆ−１０」、「Ｆ−８０」、「Ｆ−３８０」、「Ａ−２５００」、「Ｆ−４」、「Ｆ−４０」、「Ｆ−１２８」、「Ｆ−７００」の１０サンプルから作成する。
【００４１】
アニオン性界面活性剤としては、アルキルベンゼンスルホン酸塩、アルキルフェニルスルホン酸塩、アルキルナフタレンスルホン酸塩、高級脂肪酸塩、高級脂肪酸エステルの硫酸エステル塩、高級脂肪酸エステルのスルホン酸塩、高級アルコールエーテルの硫酸エステル塩及びスルホン酸塩、高級アルキルスルホコハク酸塩、ポリオキシエチレンアルキルエーテルカルボン酸塩、ポリオキシエチレンアルキルエーテル硫酸塩、アルキルリン酸塩、ポリオキシエチレンアルキルエーテルリン酸塩等が挙げられる。中でも、アニオン性界面活性剤としては、ドデシルベンゼンスルホン酸塩、イソプロピルナフタレンスルホン酸塩、モノブチルフェニルフェノールモノスルホン酸塩、モノブチルビフェニルスルホン酸塩、モノブチルビフェニルスルホン酸塩、ジブチルフェニルフェノールジスルホン酸塩等が望ましい。
【００４２】
顔料分散剤は、１種を単独で用いてもよく、２種以上を併用してもよい。顔料分散剤の含有量は、顔料の種類及び顔料分散剤の種類により異なるため一概には言えないが、水性インク中の顔料量に対して０．１質量％以上１００質量％以下がよい。
【００４３】
［顔料凝集剤］
顔料凝集剤は、顔料及び顔料分散剤の少なくとも一方と反応又は相互作用することで、顔料の凝集を起こす効果を有する物質である。顔料凝集剤としては、例えば、無機酸、無機酸塩、有機酸、有機酸塩等が挙げられる。
【００４４】
無機酸及び無機酸塩としては、例えば、リン酸、チオシアン酸、塩酸、硝酸、硫酸、過塩素酸、炭酸、又はこれらの金属塩が挙げられる。中でも、顔料の分散安定性の観点と画像の滲みを抑制する観点から、硝酸カルシウム、硝酸マグネシウム、硝酸アルミニウム、塩化カルシウム等が望ましい。
【００４５】
有機酸及び有機酸塩としては、例えば、クエン酸、コハク酸、酒石酸、シュウ酸、フマル酸、フタル酸、マレイン酸、マロン酸、リンゴ酸、ピロリドンカルボン酸、ピロンカルボン酸、ピロールカルボン酸、フランカルボン酸、クマリン酸、チオフェンカルボン酸、ニコチン酸；これらの酸の誘導体；これらの酸の金属塩；等が挙げられる。
【００４６】
顔料凝集剤としては、顔料の分散安定性の観点と画像の滲みを抑制する観点から、多価金属塩から選択される少なくとも１種が望ましく、無機酸の多価金属塩から選択される少なくとも１種がより望ましい。無機酸の多価金属塩を構成する金属としては、カルシウム、アルミニウム、マグネシウム、バリウム、亜鉛、鉄等が挙げられ、これらの多価金属の硝酸塩が特に望ましい。
【００４７】
顔料凝集剤は、１種を単独で用いてもよく、２種以上を併用してもよい。
【００４８】
水性インク中の顔料凝集剤の含有量は、画像の滲みを抑制する観点から、水性インクの全質量に対し、０．１質量％以上が望ましく、０．５質量％以上がより望ましく、１質量％以上が更に望ましく、顔料の分散安定性の観点から、水性インクの全質量に対し、１０質量％以下が望ましく、８質量％以下がより望ましく、５質量％以下が更に望ましい。
【００４９】
［ノニオン性界面活性剤］
本実施形態に係る水性インクは、ＨＬＢ値が１５以上１９以下のノニオン性界面活性剤を少なくとも１種含有する。ＨＬＢ値が１５以上１９以下のノニオン性界面活性剤としては、顔料の分散安定性に優れる観点から、ＨＬＢ値が１５以上１８以下であることがより望ましく、ＨＬＢ値が１６以上１８以下であることが更に望ましい。
【００５０】
ＨＬＢ値（hydrophile‐lipophile balance value）とは、界面活性剤の親水性と親油性の程度を表す指標である。ＨＬＢ値が小さいほど親油性が高く、ＨＬＢ値が大きいほど親水性が高いことを示す。本実施形態においてＨＬＢ値は、下記の式により算出する値であり、０から２０までの値を取る。
ＨＬＢ値＝２０×親水部の式量の総和÷分子量
【００５１】
ＨＬＢ値が１５以上１９以下のノニオン性界面活性剤の化合物種としては、例えば、ポリオキシアルキレンアルキルエーテル、ポリオキシアルキレンアルキルフェニルエーテル、ポリオキシアルキレンスチレン化フェニルエーテル、ポリオキシアルキレンジスチレン化フェニルエーテル、ポリエチレングリコールアルキルエステル、ポリオキシアルキレン脂肪酸エステル、ソルビタン脂肪酸エステル、ポリオキシアルキレンソルビタン脂肪酸エステル、ポリオキシアルキレンソルビトール脂肪酸エステル、グリセリン脂肪酸エステル、ポリオキシアルキレングリセリン脂肪酸エステル、ポリグリセリン脂肪酸エステル、ショ糖脂肪酸エステル、ポリオキシアルキレンアルキルアミン、ポリオキシアルキレン脂肪酸アミド、アルキルアルカノールアミド、ポリエチレングリコール−ポリプロピレングリコールブロックコポリマー、アセチレングリコール等が挙げられる。
【００５２】
ＨＬＢ値が１５以上１９以下のノニオン性界面活性剤は、１種を単独で用いてもよく、２種以上を併用してもよい。
【００５３】
ＨＬＢ値が１５以上１９以下のノニオン性界面活性剤の含有量は、顔料凝集剤の含有量に応じて調整することが望ましい。ただし、ＨＬＢ値が１５以上１９以下のノニオン性界面活性剤の含有量は、記録媒体への画像の定着性の観点からは、少ないことが望ましい。
【００５４】
ＨＬＢ値が１５以上１９以下のノニオン性界面活性剤の含有量は、顔料凝集剤の質量に対し、１０質量％以上１００質量％以下が望ましく、１５質量％以上５０質量％以下がより望ましく、２０質量％以上４０質量％以下が更に望ましい。
【００５５】
ＨＬＢ値が１５以上１９以下のノニオン性界面活性剤の含有量は、画像の滲みを抑制する観点から、水性インクの全質量に対し、０．１質量％以上が望ましく、０．５質量％以上がより望ましく、１質量％以上が更に望ましく、顔料の分散安定性の観点から、水性インクの全質量に対し、１０質量％以下が望ましく、８質量％以下がより望ましく、５質量％以下が更に望ましく、３質量％以下が更に望ましい。
【００５６】
本実施形態に係る水性インクは、ＨＬＢ値が１５以上１９以下のノニオン性界面活性剤のほかに、ＨＬＢ値が１５未満のノニオン性界面活性剤及びＨＬＢ値が１９超のノニオン性界面活性剤から選ばれる少なくとも１種を含んでいてもよい。本実施形態に係る水性インクにおいては、１種又は複数種含まれるノニオン性界面活性剤のうち少なくとも１種が、ＨＬＢ値が１５以上１９以下のノニオン性界面活性剤であればよい。
【００５７】
本実施形態に係る水性インクは、記録媒体への濡れ性の向上を図る観点から、ＨＬＢ値が１５未満のノニオン性界面活性剤（望ましくはＨＬＢ値１０以下）を含有することが望ましい。ＨＬＢ値が１５未満のノニオン性界面活性剤の市販品としては、日信化学工業のオルフィンシリーズ、サーフィノールシリーズ；日本乳化剤のニューコールシリーズ；等が挙げられる。
【００５８】
［高分子粒子］
本実施形態に係る水性インクは、記録媒体（特には、樹脂製の記録媒体）に対する画像の定着性を向上させる観点から、高分子粒子を含むことが望ましい。
なお、記録媒体に対する画像の定着性の観点からは、水性インクに含まれる高分子は水溶性でもよいが、高分子が水溶性であると、水性インクの粘度が高くなり過ぎたり、画像の耐水性が不十分となったりする場合があるので、水性インクに含まれる高分子は水中に分散した粒子であることが望ましい。したがって、本実施形態に係る水性インクは、高分子粒子を含むことが望ましい。ただし、本実施形態に係る水性インクは、水溶性ポリマー（例えば、分散剤、乳化剤）の含有を排除しない。
【００５９】
高分子粒子を構成する高分子は、記録媒体の表面に対して親和性の高い種類を選択することが望ましい。高分子粒子としては、例えば、ポリプロピレン粒子、ポリエチレンテレフタレート粒子、ナイロン粒子、ポリウレタン粒子、ポリエステル粒子、ポリエステルウレタン粒子、ポリ（メタ）アクリレート粒子、ポリエステル（メタ）アクリレート粒子、ウレタン（メタ）アクリレート共重合体粒子等が挙げられる。
【００６０】
高分子粒子は、乳化剤を用いて水性インク中に分散させたものであってもよく、高分子粒子が有する親水性基により水性インク中に自己分散したものであってもよい。乳化剤としては、スルホン酸基、カルボキシル基等の親水性基を有するポリマー（例えば、親水性基がグラフト結合しているポリマー、親水性基を有する単量体と疎水性の部位を有する単量体との共重合体）、界面活性剤が挙げられる。
【００６１】
高分子粒子は、予め高分子粒子が水に分散された水分散液（エマルション）を使用して、水性インクに配合することがよい。
【００６２】
高分子粒子を構成する高分子の重量平均分子量（Ｍｗ）は、画像の定着性の向上を図る観点から、１０００以上１００００００以下が望ましく、２０００以上５０００００以下がより望ましい。高分子粒子を構成する高分子の重量平均分子量（Ｍｗ）は、ゲルパーミエーションクロマトグラフィ（ＧＰＣ）により測定する。本測定は、測定装置としてＨＬＣ−８１２０ＧＰＣ、ＳＣ−８０２０（東ソー）を用い、カラムとしてＴＳＫｇｅｌ ＳｕｐｅｒＨＭ−Ｍ（６．０ｍｍＩＤ×１５ｃｍ）（東ソー）を２本用い、溶離液としてテトラヒドロフランを用いる。測定条件は、試料濃度０．５質量％、流速０．６ｍＬ／ｍｉｎ、サンプル注入量１０μＬ、測定温度４０℃とし、ＲＩ検出器で検出を行う。検量線は、東ソー「ｐｏｌｙｓｔｙｌｅｎｅ標準試料ＴＳＫ ｓｔａｎｄａｒｄ」：「Ａ−５００」、「Ｆ−１」、「Ｆ−１０」、「Ｆ−８０」、「Ｆ−３８０」、「Ａ−２５００」、「Ｆ−４」、「Ｆ−４０」、「Ｆ−１２８」、「Ｆ−７００」の１０サンプルから作成する。
【００６３】
高分子粒子の体積平均粒径Ｄ５０ｖは、画像の定着性の向上を図る観点から、１０ｎｍ以上３００ｎｍ以下が望ましく、より望ましくは１０ｎｍ以上２００ｎｍ以下である。水性インクに含まれる高分子粒子の体積平均粒径Ｄ５０ｖの測定は、動的光散乱式粒度分析計（Ｍｉｃｒｏｔｒａｃ社ＵＰＡ−ＵＴ１５１）により行う。その測定は、１０００倍希釈した水性インクを測定セルに入れて行う。
【００６４】
高分子粒子のガラス転移温度は、画像の耐擦過性の向上を図る観点から、−２０℃以上８０℃以下が望ましく、より望ましくは−１０℃以上６０℃以下である。高分子粒子のガラス転移温度は、ＪＩＳ  Ｋ７１２１：１９８７「プラスチックの転移温度測定方法」のガラス転移温度の求め方に記載の「補外ガラス転移開始温度」に従って示差走査熱量測定（ＤＳＣ）を行い、得られたＤＳＣ曲線より求める。
【００６５】
高分子粒子は、１種を単独で用いてもよく、２種以上を併用してもよい。
【００６６】
高分子粒子の含有量は、画像の定着性の向上を図る観点から、水性インクの全質量に対して、０．１質量％以上が望ましく、０．５質量％以上がより望ましく、１質量％以上が更に望ましく、水性インクの保存安定性及びインクジェット方式で画像記録する際の吐出性の観点から、１０質量％以下が望ましく、８質量％以下がより望ましく、５質量％以下が更に望ましい。
【００６７】
［水］
本実施形態に係る水性インクにおいては、水が主たる溶媒であることが望ましい。本実施形態において「主たる溶媒」とは、全溶媒のうち最も質量の多い溶媒を指す。
【００６８】
水としては、不純物の混入又は微生物の発生を抑制する観点から、蒸留水、イオン交換水、限外濾過水などの精製水が望ましい。
【００６９】
水の含有量は、水性インクの全質量に対して、３０質量％以上８０質量％以下が望ましく、４０質量％以上７０質量％以下がより望ましい。
【００７０】
［その他添加剤］
本実施形態に係る水性インクは、必要に応じて、その他添加剤を含んでいてもよい。その他添加剤としては、水溶性有機溶剤、浸透剤、粘度調整剤、ｐＨ調整剤、ｐＨ緩衝剤、酸化防止剤、紫外線吸収剤、赤外線吸収剤、防腐剤、防カビ剤、界面活性剤等の公知の添加剤が挙げられる。
【００７１】
水溶性有機溶剤としては、アルコール（エタノール、イソプロピルアルコール、ブチルアルコール、ベンジルアルコール等）、多価アルコール（エチレングリコール、ジエチレングリコール、プロピレングリコール、トリエチレングリコール、１，５−ペンタンジオール、１，２−へキサンジオール、３−メチル−１,３−ブタンジオール等）、多価アルコール誘導体、含窒素溶剤（ピロリドン、Ｎ−メチル−２−ピロリドン、シクロヘキシルピロリドン、トリエタノールアミン等）、含硫黄溶剤（チオジエタノール、チオジグリセロール、スルホラン、ジメチルスルホキシド等）などが挙げられる。水溶性有機溶剤は、１種を単独で用いてもよく、２種以上を併用してもよい。水溶性有機溶剤の含有量（合計量）は、水性インクの全質量に対して、１質量％以上４０質量％以下が望ましく、３質量％以上３０質量％以下がより望ましい。
【００７２】
［水性インクの物性］
水性インクのｐＨは、４以上１０以下が望ましく、５以上９以下がより望ましい。本実施形態において水性インクのｐＨは、温度２３±０．５℃、相対湿度５５±５％の環境下で測定する。
【００７３】
水性インクの表面張力は、２０ｍＮ／ｍ以上４０ｍＮ／ｍ以下が望ましく、２５ｍＮ／ｍ以上３５ｍＮ／ｍ以下がより望ましい。本実施形態において水性インクの表面張力は、ウィルヘルミー型表面張力計を用いて、温度２３±０．５℃、相対湿度５５±５％の環境下で測定する。
【００７４】
水性インクの粘度は、１ｍＰａ・ｓ以上３０ｍＰａ・ｓ以下が望ましく、１．５ｍＰａ・ｓ以上２０ｍＰａ・ｓ以下がより望ましい。本実施形態において水性インクの粘度は、ＴＶ−２０形粘度計（東機産業）を測定装置として用い、測定温度２３℃、せん断速度１４００ｓ−１の条件で測定する。
【００７５】
［記録媒体］
本実施形態に係る水性インクを用いた被記録対象となる記録媒体としては、特に制限されず、公知のあらゆる記録媒体が挙げられる。
【００７６】
浸透性記録媒体としては、普通紙等が挙げられる。非浸透性記録媒体としては、例えば、樹脂、金属、ガラス、セラミックス、シリコン、ゴム等を材料とするフィルム、板等；樹脂等でコートされた紙；などが挙げられる。
【００７７】
非浸透性記録媒体としては、包装資材に従来使用されている各種の樹脂フィルムも挙げられる。樹脂フィルムの材料としては、ポリエチレンテレフタレート、ポリプロピレン、ナイロン等が挙げられる。樹脂フィルムは、表面にコロナ放電等による電荷処理が施されていてもよい。
【００７８】
＜インクカートリッジ＞
本実施形態に係るインクカートリッジは、本実施形態に係る水性インクを収容したカートリッジである。本実施形態に係るインクカートリッジは、例えば、インクジェット方式の記録装置に着脱可能な形態で提供される。
【００７９】
＜記録装置、記録方法＞
本実施形態に係る記録装置は、本実施形態に係る水性インクを収容し、該水性インクを記録媒体上に吐出する吐出ヘッドを備える。本実施形態に係る記録装置により、本実施形態に係る水性インクを吐出ヘッドから記録媒体上に吐出する吐出工程を有する記録方法が実現される。
【００８０】
本実施形態に係る記録装置及び記録方法は、本実施形態に係る水性インクを用いることにより、吐出安定性に優れ、且つ、滲みが抑制された画像を形成することができる。
【００８１】
本実施形態に係る記録装置は、記録媒体上に吐出された水性インクを乾燥する乾燥装置をさらに備えてもよい。乾燥装置を備えた記録装置では、記録媒体上に吐出された水性インクを乾燥する乾燥工程をさらに有する記録方法が実現される。乾燥装置（乾燥工程）により、記録媒体上に吐出された水性インクを乾燥することで、高速記録が実現される。
【００８２】
乾燥装置（乾燥工程）による乾燥温度は、記録媒体の表面温度で３５℃以上２００℃以下（望ましくは４０℃以上１５０℃以下）であることがよい。乾燥温度（記録媒体の表面温度）が３５℃以上であると、水性インクの乾燥が迅速に行える。乾燥温度（記録媒体の表面温度）が２００℃以下であると、記録媒体の焦げ付き、装置コストの増大、及び消費電力の増大を抑えつつ、迅速なインクの乾燥が実現される。乾燥温度（記録媒体の表面温度）は、乾燥装置の最下流部から下流側に距離０．５ｍの位置に放射温度計を設置し、この放射温度計で記録媒体の非画像記録部を測定して求めた温度である。
【００８３】
本実施形態に係る記録装置は、本実施形態に係る水性インクを収容し、記録装置に着脱されるようカートリッジ化されたインクカートリッジを備えていてもよい。
【００８４】
以下、本実施形態に係る記録装置及び記録方法の一例について図面を参照しつつ説明する。
【００８５】
図１は、本実施形態に係る記録装置を示す概略構成図である。
図１に示す記録装置１０は、記録媒体Ｐに画像を記録する画像記録ユニット１２と、画像記録ユニット１２に記録媒体Ｐを供給する供給ユニット１４と、供給ユニット１４と画像記録ユニット１２との間に配置され、供給ユニット１４から画像記録ユニット１２へ供給される記録媒体Ｐの搬送量等を調整するバッファユニット１６と、画像記録ユニット１２から排出される記録媒体Ｐを巻き取る巻取りユニット１８と、画像記録ユニット１２と巻取りユニット１８との間に配置され、画像記録ユニット１２から巻取りユニット１８へ排出される記録媒体Ｐの搬送量等を調整するバッファユニット２０と、画像記録ユニット１２とバッファユニット２０との間に配置され、画像記録ユニット１２から搬出される記録媒体Ｐを冷却する冷却ユニット２２と、を備えている。
【００８６】
画像記録ユニット１２は、吐出装置１２１と、記録媒体Ｐの搬送経路１２４と、乾燥ドラム１２６（乾燥装置の一例）と、温風送風装置１２８（乾燥装置の一例）とを備える。
【００８７】
吐出装置１２１は、Ｋ（ブラック）色の画像を記録する吐出ヘッド１２２Ｋと、Ｙ（イエロー）色の画像を記録する吐出ヘッド１２２Ｙと、Ｍ（マゼンタ）色の画像を記録する吐出ヘッド１２２Ｍと、Ｃ（シアン）色の画像を記録する吐出ヘッド１２２Ｃとを備える。吐出ヘッド１２２Ｋ、１２２Ｙ、１２２Ｍ、１２２Ｃは、例えばこの順番で、搬送経路１２４の上流側から下流側に並べられている。吐出ヘッド１２２Ｋ、１２２Ｙ、１２２Ｍ、１２２Ｃは、それぞれ、記録装置１０に着脱される各色のインクカートリッジ１２３Ｋ、１２３Ｙ、１２３Ｍ、１２３Ｃと供給管（不図示）を通じて連結され、インクカートリッジ１２３から各色のインクが吐出ヘッド１２２へ供給される。吐出ヘッド１２２Ｋ、１２２Ｙ、１２２Ｍ、１２２Ｃに共通する事項について説明する場合、単に「吐出ヘッド１２２」という。
【００８８】
吐出装置１２１は、上記４色に対応した４つの吐出ヘッド１２２を備える形態に限られず、他の中間色を加えた４色以上の色に対応した４つ以上の吐出ヘッド１２２を備える形態であってもよい。
【００８９】
吐出ヘッド１２２としては、例えば、有効な記録領域（インクを吐出するノズルの配置領域）が記録媒体Ｐの幅（記録媒体Ｐの搬送方向と直交する方向の長さ）以上とされた長尺状の記録ヘッド；記録媒体Ｐの幅よりも短尺状の吐出ヘッドであって、記録媒体Ｐの幅方向に移動してインクを吐出するキャリッジ方式の吐出ヘッド；等が挙げられる。
【００９０】
吐出ヘッド１２２が採用するインクジェット方式としては、ピエゾ素子の振動圧力を利用するピエゾ方式、静電誘引力を利用してインクを吐出する電荷制御方式、電気信号を音響ビームに変えインクに照射して放射圧を利用してインクを吐出する音響インクジェット方式、及びインクを加熱して気泡を形成し、生じた圧力を利用するサーマルインクジェット方式等が挙げられる。
【００９１】
吐出ヘッド１２２は、例えば、インク滴量１０ｐＬ以上１５ｐＬ以下の範囲でインク滴を吐出する低解像度用の吐出ヘッド（例えば６００ｄｐｉの吐出ヘッド）、インク滴量１０ｐＬ未満の範囲でインク滴を吐出する高解像度用の吐出ヘッド（例えば１２００ｄｐｉの吐出ヘッド）である。ｄｐｉは「dots per inch」を意味する。
【００９２】
吐出装置１２１は、吐出ヘッド１２２から記録媒体Ｐにインク滴を直接吐出する形態に限られず、吐出ヘッド１２２から中間転写体にインク滴を吐出した後、中間転写体上のインク滴を記録媒体Ｐに転写する形態であってもよい。
【００９３】
乾燥ドラム１２６は、記録媒体Ｐの裏面が巻き掛けられ、記録媒体Ｐの搬送に従動して回転しながら記録媒体Ｐ上の画像（インク）を乾燥する。乾燥ドラム１２６の内部には、加熱源（例えばハロゲンヒータ等、不図示）が内蔵されている。乾燥ドラム１２６は、加熱源の加熱により、記録媒体Ｐ上の画像（インク）を裏面側（記録面の反対面側）から乾燥する。
【００９４】
温風送風装置１２８は、例えば、乾燥ドラム１２６の周囲に配置されている。温風送風装置１２８から送風される温風が、乾燥ドラム１２６に巻き掛けられた記録媒体Ｐ上の画像（インク）を表面側（記録面側）から乾燥する。
【００９５】
画像記録ユニット１２が備える乾燥装置としては、乾燥ドラム１２６、温風送風装置１２８に限られず、近赤外線ヒータ、レーザ照射装置等も挙げられる。
【００９６】
供給ユニット１４は、記録媒体Ｐが巻かれている供給ロール１４Ａを備えており、供給ロール１４Ａから画像記録ユニット１２へ記録媒体Ｐを供給する。供給ロール１４Ａは、フレーム部材（不図示）によって回転可能に支持されている。
【００９７】
バッファユニット１６は、例えば、記録媒体Ｐの搬送方向に沿って、第１パスローラ１６Ａ、ダンサーローラ１６Ｂ及び第２パスローラ１６Ｃを備える。ダンサーローラ１６Ｂは、図１中上下に移動することにより、画像記録ユニット１２へ供給される記録媒体Ｐの張力及び搬送量を調整する。
【００９８】
巻取りユニット１８は、画像が記録された記録媒体Ｐを巻き取る巻取ロール１８Ａを備えている。巻取ロール１８Ａがモータ（不図示）の駆動で回転することで、記録媒体Ｐが搬送経路１２４に沿って搬送される。
【００９９】
バッファユニット２０は、例えば、記録媒体Ｐの搬送方向に沿って、第１パスローラ２０Ａ、ダンサーローラ２０Ｂ及び第２パスローラ２０Ｃを備える。ダンサーローラ２０Ｂは、図１中上下に移動することにより、巻取りユニット１８へ排出される記録媒体Ｐの張力及び搬送量を調整する。
【０１００】
冷却ユニット２２には、複数のクーリングローラ２２Ａが配置されている。複数のクーリングローラ２２Ａの間に記録媒体Ｐを搬送することにより、記録媒体Ｐを冷却する。
【０１０１】
本実施形態に係る記録装置は、図１に示す記録装置１０のような輪転機に限られず、記録媒体１枚ずつに記録する枚葉機でもよい。
【実施例】
【０１０２】
以下、実施例により発明の実施形態を詳細に説明するが、発明の実施形態は、これら実施例に限定されるものではない。
以下の説明において、特に断りのない限り、「％」は質量基準である。
【０１０３】
＜水性インクの調製および画像記録＞
［実施例１］
・顔料：カーボンブラック（キャボット社 ＭＯＧＵＬ Ｌ）                      ５％
・顔料分散剤：スチレン−アクリル酸共重合体ナトリウム中和物（Ｍｗ３００００）
２．５％
・顔料凝集剤：硝酸カルシウム                                                ３％
・ノニオン性界面活性剤：ポリオキシエチレンスチレン化フェニルエーテル（ＨＬＢ値１８．０）                                                                    １％
・高分子粒子：ポリプロピレン粒子のエマルション（体積平均粒径８０ｎｍ、ガラス転移温度５０℃）                                                    固形分として３％
・オルフィンＥ１０１０（日信化学工業）                                  ０．５％
・ジエチレングリコール                                                    １５％
・メチルブタンジオール                                                    １０％
・純水（ＪＩＳ  Ｋ０５５７、種別Ａ３。以下同じ）                            残量
上記材料を混合した後、５μｍフィルターで濾過を行い、黒色の水性インクを得た。
【０１０４】
ピエゾ方式のインクジェットヘッド（解像度１２００ｄｐｉ、最大インク滴量５ｐＬ）、及び乾燥装置として赤外線ヒータを備えたインクジェット記録システムを用意し、水性インクを装填した。記録媒体の搬送速度を３０ｍ／ｍｉｎに設定し、乾燥装置通過直後の記録媒体の表面温度が６０℃になるよう赤外線ヒータの加熱条件を設定した。
記録媒体として、表面にコロナ放電処理したポリエチレンテレフタレート延伸フィルム（ＰＥＴ延伸フィルム）を用意した。
ＰＥＴ延伸フィルム上に、水性インクをインクジェットヘッドから吐出し、赤外線ヒータにて乾燥させ記録画像を得た。記録画像としては、４ｐｔの文字「響」（明朝体）を印字した。
【０１０５】
［実施例２］
ポリオキシエチレンスチレン化フェニルエーテル（ＨＬＢ値１８．０）をポリオキシエチレン２−エチルヘキシルエーテル（ＨＬＢ値１７．４）に変更した以外は、実施例１と同様にして水性インクを調製し、画像記録を行った。
【０１０６】
［実施例３］
ポリオキシエチレンスチレン化フェニルエーテル（ＨＬＢ値１８．０）をポリオキシエチレンヒマシ油エーテル（ＨＬＢ値１６．６）に変更した以外は、実施例１と同様にして水性インクを調製し、画像記録を行った。
【０１０７】
［実施例４］
ポリオキシエチレンスチレン化フェニルエーテル（ＨＬＢ値１８．０）をポリオキシアルキレン分岐デシルエーテル（ＨＬＢ値１５．９）に変更した以外は、実施例１と同様にして水性インクを調製し、画像記録を行った。
【０１０８】
［比較例１］
硝酸カルシウム及びポリオキシエチレンスチレン化フェニルエーテル（ＨＬＢ値１８．０）を含まず、その分を純水に変更した以外は、実施例１と同様にして比較用水性インクを調製し、画像記録を行った。
【０１０９】
［比較例２］
ポリオキシエチレンスチレン化フェニルエーテル（ＨＬＢ値１８．０）を含まず、その分を純水に変更した以外は実施例１と同様にして水性インクを調製しようとしたところ、顔料が凝集し、比較用水性インクを得られなかった。
【０１１０】
［比較例３］
ポリオキシエチレンスチレン化フェニルエーテル（ＨＬＢ値１８．０）をポリオキシエチレンセチルエーテル（ＨＬＢ値１０．５）に変更した以外は、実施例１と同様にして比較用水性インクを調製し、画像記録を行った。
【０１１１】
［比較例４］
ポリオキシエチレンスチレン化フェニルエーテル（ＨＬＢ値１８．０）をポリオキシエチレン多環フェニルエーテル（ＨＬＢ値１９．１）に変更した以外は、実施例１と同様にして比較用水性インクを調製し、画像記録を行った。
【０１１２】
［実施例５〜１０、比較例５〜８］
表１に従って水性インクの材料を変更した以外は、実施例１と同様にして水性インクを調製し、画像記録を行った。
【０１１３】
［実施例１１］
実施例１で調製した水性インクを用いて、記録媒体をコロナ放電処理ポリプロピレン延伸フィルムに変更した以外は実施例１と同様にして画像記録を行った。
【０１１４】
＜評価＞
［インクの分散安定性］
各例のインクを６０℃の恒温槽で２月間保管し、保管後のインクを目視で観察し、下記のとおり分類した。
【０１１５】
Ｇ１：外観に変化が認められない。
Ｇ２：極小さな凝集物が発生しているが、インクジェット方式の画像記録に使用できる。
ＮＧ：凝集物が発生しており、インクジェット方式の画像記録に使用困難。
【０１１６】
［画像の滲み］
樹脂フィルムに印字した文字を目視で観察し、下記のとおり分類した。
【０１１７】
Ａ：滲みがない。
Ｂ：滲みが僅かにある。
Ｃ：滲みがあるが、文字の判読は可能。
Ｄ：滲みが著しく、文字の判読が困難。
【０１１８】
［画像の定着性］
樹脂フィルムに印字した文字の上にマットコート紙を載せ、その上から２０Ｎ／ｃｍの荷重をかけながらゆっくりとマットコート紙を滑らせた。樹脂フィルム及びマットコート紙の両方の摩擦面を目視で観察し、下記のとおり分類した。
【０１１９】
Ａ：マットコート紙へ顔料の移りがなく、樹脂フィルム上の文字に変化がない。
Ｂ：マットコート紙へ顔料の移りが僅かにあるが、樹脂フィルム上の文字に変化は認められない。
Ｃ：マットコート紙へ顔料の移りがあり、樹脂フィルム上の文字にかすれがあるが、文字の判読は可能。
Ｄ：マットコート紙へ顔料の移りが著しく、樹脂フィルム上の文字は乱れ判読が困難。
【０１２０】
【表１】
2017171850.tif 000003
【符号の説明】
【０１２１】
１０    記録装置
１２    画像記録ユニット
１２１  吐出装置
１２２Ｋ、１２２Ｙ、１２２Ｍ、１２２Ｃ  吐出ヘッド
１２３、１２３Ｋ、１２３Ｙ、１２３Ｍ、１２３Ｃ  インクカートリッジ
１２４  搬送経路
１２６  乾燥ドラム
１２８  温風送風装置
１４    供給ユニット
１４Ａ  供給ロール
１６    バッファユニット
１６Ａ  第１パスローラ
１６Ｂ  ダンサーローラ
１６Ｃ  第２パスローラ
１８    巻取りユニット
１８Ａ  巻取ロール
２０    バッファユニット
２０Ａ  第１パスローラ
２０Ｂ  ダンサーローラ
２０Ｃ  第２パスローラ
２２    冷却ユニット
Ｐ      記録媒体
【図１】
2017171850.tif 000004